【事件の表示】
　特許第２９１３５９２号「パチンコゲーム機」の請求項１に係る特許に対する特許異議の申立てについて、次のとおり決定する。
【結　論】
　訂正を認める。
　特許第２９１３５９２号の請求項１に係る特許を維持する。
【理　由】
一、手続の経緯
　本件特許第２９１３５９２号に係る発明は、平成２年１１月２８日に特許出願された特願平２−３２７２９７号に係り、平成１１年４月１６日に設定登録され、この特許に対し、特許異議申立人河井清悦（以下、「申立人」という。）より特許異議の申立てがなされ、当審において取消理由を通知したところ、その指定期間内の平成１２年１１月１０日に訂正請求がなされたものである。
　
二、訂正の適否についての判断
１．訂正の内容
　特許権者は、特許明細書を次のように訂正しようとするものである。
［訂正事項ａ］
　特許明細書の特許請求の範囲の
　「【請求項１】パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態になる毎に前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという自動貸出動作を行う放出制御手段とを備えたことを特徴とするパチンコゲーム機。」の記載を、
　「１．パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態に
なったとき及び前記操作手段が操作されたとき
　
［訂正事項ｂ］
　特許明細書の発明の詳細な説明の欄の（課題を解決するための手段）における
　「本発明は、上記目的を達成するために、パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態になる毎に前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという自動貸出動作を行う放出制御手段とを備えた構成としたものである。」の記載を
　「本発明は、上記目的を達成するために、パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態に
なったとき及び前記操作手段が操作されたとき
　
［訂正事項ｃ］
　特許明細書の発明の詳細な説明の欄の（作用）における
　「遊技者がパチンコゲーム機において新規に遊技を開始しようとする場合には、そのパチンコゲーム機が有する端末装置に対して、対価情報が記憶された遊技券をする。」の記載を
　「遊技者がパチンコゲーム機において新規に遊技を開始しようとする場合には、そのパチンコゲーム機が有する端末装置に対して、対価情報が記憶された遊技券を
セット
　
［訂正事項ｄ］
　特許明細書の発明の詳細な説明の欄の（作用）における
　「この場合、切換スイッチにより手動玉貸モードが選択されている状態で操作手段を操作すると、放出制御手段が、遊技券の記憶対価情報の範囲内で貸出球としてのパチンコ玉を玉発射機構用補給皿へ放出機構を通じて放出させると共に、上記対価情報をその放出パチンコ玉数に応じた分だけ減少させるようになるから、遊技者は上記パチンコ玉により遊技を行うことができる。」の記載を
　「
この状態（切換スイッチにより手動玉貸モード及び自動玉貸モードの何れかが選択されている状態）から
　
２．訂正の目的の適否、新規事項の有無及び拡張・変更の存否
　訂正事項ａの訂正は、特許請求の範囲の減縮を目的とするものに該当する。
　訂正事項ｂ及びｄの訂正は、発明の詳細な説明の記載を訂正後の特許請求の範囲の記載と整合させるためのものであるから、上記訂正事項ｂ及びｄの訂正は、明りょうでない記載の釈明を目的とするものに該当する。
　訂正事項ｃの訂正は、明らかな誤記を訂正するものであるから、誤記の訂正を目的とするものに該当する。
　そして、これらの訂正は、願書に添付した明細書、又は図面に記載された事項の範囲内において訂正するものであって新規事項を追加するものでなく、かつ、実質上特許請求の範囲を拡張、又は変更するものではない。
　
３．独立特許要件の判断
（１）訂正明細書の発明
　訂正明細書の請求項１に係る発明（以下、「訂正発明」という。）は、訂正明細書の特許請求の範囲の請求項１に記載された次の事項により特定されたとおりのものである。（前記二、の「１．訂正の内容」の欄に［訂正事項ａ］として記載した請求項１の記載を参照。）
「１．パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態に
なったとき及び前記操作手段が操作されたとき
　
（２）先願明細書等に記載の発明の内容
　本件特許出願の日前に出願された特願平２−２７７１９６号（特開平３−２２２９８２号公報参照）の願書に最初に添付した明細書又は図面（特許異議申立人河井清悦提出の甲第１号証）（以下、「先願明細書等」という。）には、パチンコ機に関し、次の事項が記載されている。
　「図において、パチンコ機１は、機枠２の前面に前面枠３を開閉自在に装着している。前面枠３の前面には、ガラス扉枠４及び前面板５が開閉自在に装着されている。また、前記前面枠３の裏面には、取付枠を介して遊技盤６が着脱自在に装着される。遊技盤６の表面には、発射位置から発射された打球を誘導するガイドレール７が設けられ、そのガイドレール７で囲まれる遊技部には、複数の入賞口８、変動入賞装置９等が設けられる。また、下部には、アウト口１０が設けられている。前記前面板５の前面には、投入されたパチンコ球をガイドレール７の発射位置へ一個づつ導くための打球供給皿１１が取りつけられている。また、前面枠３の下部には、発射位置のパチンコ球を遊技部へ打出すための操作ハンドル１２と、打球供給皿１１の余剰景品球を溜める下部球受皿１３が設けられている。この下部球受皿１３は、前面枠３の下部に固着される支持部材１４に灰皿１５や後述するカード読取り装置３０を取りつける取付部５０等と一体的に形成されている。また、前記打球供給皿１１には、残量球数を検出するための残球検出器１６が設けられる。この残球検出器１６は、例えば、投光器と受光器を同一ケース内に内蔵した直接反射形の光電スイッチであり、打球供給皿１１のパチンコ球が一列で並ぶ流路部分に設けられる。そして、この流路部分にパチンコ球が無くなると投光器から放射された光が受光器に入射してＯＮし、そのＯＮ信号に基づいて所定数の遊技球が貸し出される。ただし、この貸出は、後述するカードに貸球情報が有るときに限る。なお、残球検出器１６を設けることなく、遊技者の操作する金額ボタン（例えば、１００円、３００円、５００円ボタン等の複数の金額ボタン）によって対応する数の遊技球を貸し出すようにしたものでもよい。この場合、金額ボタンは、後述するカード読取り装置３０に設けられる。また、自動・手動切替スイッチを設け、該スイッチが自動を選択されているときに前記残球検出器１６が働き、手動が選択されているときに前記金額ボタンが働くようにしてもよい。」（２頁左上欄１６行〜同頁左下欄１５行）
　「景品球排出装置２０は、前記入賞球集合通路１８を流下してきた入賞球を１個宛処理する入賞球排出処理装置２３によって駆動されて所定個数の景品球を排出するようになっている。景品球排出装置２０の下方には、景品球排出装置２０から放出された景品球をパチンコ機前面の打球供給皿１１へ導くための景品球排出樋２２が形成される。また、パチンコ機１の背面には、各パチンコ機１毎にそれぞれ球貸装置２４が設けられる。この球貸装置２４は、カードの貸球情報に基づいて所定個数づつの遊技球を貸し出すような機構を内蔵しており、球貸装置２４の上部には、補給パイプ２５が接続され、下部には、供給パイプ２６が接続されている。また、供給パイプ２６の下端は、前記景品球排出樋２２に連通されている。なお、前記打球供給皿１１の上流端に２つの排出口を設け、球貸装置２４から排出される遊技球と景品球排出装置２０から排出される景品球とが前記打球供給皿１１に排出される際に遊技者に視認できるように別々の排出口から排出されるようにしてもよい。また、球貸装置２４を特別に設けずに、カードの貸球情報に基づいて景品球排出装置２０を駆動して遊技球を貸し出すようにしてもよい。この場合、景品球排出装置２０の構造として、図示のように遊技球の貸出数と景品球の排出数とに対応する球収納ケースを有するように構成されていてもよいし、あるいは、排出される玉を１個づつ計数しながら排出する構造のものでもよい。後者の構造のものであれば、その構成を簡単にすることができる。更に、パチンコ機１の裏面下部には、前記球貸装置２４、残球検出器１６、及びカード読取り装置３０と接続されるマイクロコンピュータ２７が設けられている。」（２頁右下欄５行〜３頁左上欄１９行）
　「以上、説明したパチンコ機１の作用について説明すると、パチンコ機１の前面側に設けられる支持部材１４には、カード読取り装置３０が装着されているが、このカード読取り装置３０に貸球情報が記録されたカードを挿入すると、その貸球情報がマイクロコンピュータ２７の情報記憶部に記憶される。一方、カードをカード読取り装置３０に挿入したときには、打球供給皿１１にパチンコ球がないため残球検出器１６がＯＮとなる。これによって、マイクロコンピュータ２７に貸出信号が与えられ、マイクロコンピュータ２７は、球貸装置２４に駆動信号を与えて所定数（例えば、２５個）のパチンコ球を貸球として打球供給皿１１に排出する。この球貸装置２４による球貸動作が一回行われると、前記情報記憶部及びカードの貸球情報から貸球排出数に相当する情報がそれぞれ減算される。上記したような状態で遊技が行われ、その過程で打球供給皿１１のパチンコ球が減少して残球検出器１６がＯＮすると、カードに貸球情報が有る限り再び前述の動作を繰り返して一定数のパチンコ球を打球供給皿１１に排出する。一方、カードに貸球情報が有る状態で遊技を中止する場合には、カード読取り装置３０に設けられる後述する精算ボタン３６を操作する。そうすると、カード送り出し指令信号がマイクロコンピュータ２７に与えられ、マイクロコンピュータ２７は、カード読取り装置３０を駆動してカードを返却する。そして、遊技者は、カードを受け取ると共に、打球供給皿１１のパチンコ球を全て弾発するか、或は抜き取って遊技を終了する。」（３頁左上欄２０行〜同頁左下欄１０行）
　「また、ケース３１の前面には、カードを挿入するカード挿入口３３、挿入されたカードに記録された金額を表示する金額表示器３４、必要に応じて使用される景品球数表示器３５、及び遊技を終了するときに操作する精算ボタン３６が設けられている。このうち、景品球数表示器３５は、図示するパチンコ機１では、使用しないが、例えば、封入式の遊技機であって、発生した入賞玉によって排出される景品球を数字で表示する形式のものにおいて使用されるものである。また、金額表示器３４は、カードに記録された貸球情報を表示するものであり、その表示は、金額であっても、あるいは遊技球数であってもよい。」（３頁右下欄９行〜４頁左上欄１行）
　「また、上記いずれの実施例においても、カード読取り装置３０に遊技者が操作する精算ボタン３６や遊技者が視認する金額表示器３４、景品球数表示器３５を設けたものを示したが、操作性及び視認性をよくするために、下部球受皿１３部分には、カード挿入口３３だけを含むカード読取り装置３０だけを設け、操作スイッチや表示器等は、例えば、前記打球供給皿１１や前面枠３の上部側方等に設けてもよい。この場合、操作スイッチとして貸球情報の範囲内で遊技者が望む金額分に相当する遊技球を貸し出すための単数又は複数の金額ボタンを含ませてもよい。」（５頁左下欄１９行〜同頁右下欄１０行）
　
（３）対比・判断
　ここで、訂正発明と先願明細書等に記載の発明（以下、「先願発明」という。）とを比較・対比すると、先願発明の「パチンコ球」「景品球」「打球供給皿１１」「景品球排出装置２０」「貸球情報」「カード」「カード読取り装置３０」「金額ボタン等の操作ボタン」「残球検出器１６」「自動を選択されているとき」「手動を選択されているとき」「自動・手動切替スイッチ」「遊技者の操作する金額ボタンによって対応する数の遊技球を貸し出す」「カードに貸球情報が有る限り」「遊技球」「マイクロコンピュータ２７の情報記憶部及びカードの貸球情報から貸球排出数に相当する情報がそれぞれ減算される」「残球検出器１６が設けられる打球供給皿１１の流路部分にパチンコ球が無くなると残球検出器１６からＯＮ信号が出力され、そのＯＮ信号に基づいて所定数の遊技球が貸し出される」「マイクロコンピュータ２７」「パチンコ機１」のそれぞれが、訂正発明の「パチンコ玉」「賞球」「玉発射機構用補給皿」「放出機構」「対価情報」「遊技券」「端末装置」「操作手段」「検出手段」「自動玉貸モード」「手動玉貸モード」「切換スイッチ」「前記操作手段が操作されたとき」「前記端末装置にセットされた遊技券の記憶対価情報の範囲内」「貸出球」「上記対価情報をその放出パチンコ玉数に応じた分だけ減少させる」「前記検出手段が検出状態になる毎に」「放出制御手段」「パチンコゲーム機」にそれぞれ相当する。
　そうしてみると、先願明細書等には、「パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態になる毎に前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという自動貸出動作を行う放出制御手段とを備えたことを特徴とするパチンコゲーム機」の発明が記載されていると認められる。
　ここで、訂正発明と先願発明とを対比すると、両者は、「パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態になる毎に前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという自動貸出動作を行う放出制御手段とを備えたパチンコゲーム機」である点で一致する。　しかしながら、訂正発明が「上記切換スイッチにより自動玉貸モードが選択された状態では、前記検出手段が検出状態になったとき及び前記操作手段が操作されたときに前記端末装置にセットされた遊技券の記憶対価情報の範囲内のパチンコ玉を前記放出機構から前記玉発射機構用補給皿へ貸出球として放出させる」ものであるのに対し、先願発明は、自動玉貸モードが選択された状態であっても、前記操作手段が操作されたときには、パチンコ玉を前記放出機構から前記玉発射機構用補給皿へ貸出球として放出させるような機能を有せず、先願明細書等には前記相違点の構成について記載されていない。そして、上記相違点の構成が自明のものである、ということもできない。
　そうしてみると、訂正明細書の発明は上記先願明細書等に記載された発明と同一である、とすることができない。
　
（４）まとめ
　上記のとおりであるから、訂正明細書の発明は特許出願の際独立して特許を受けることができるものである。
　
４．むすび
　以上のとおりであるから、上記訂正請求は、特許法等の一部を改正する法律（平成６年法律第１１６号）附則第６条第１項の規定によりなお従前の例によるとされる、平成１１年改正前の特許法第１２０条の４第３項の規定において準用する平成６年改正法による改正前の特許法第１２６条第１項ただし書き、第２項及び第３項の訂正に関する規定に適合するので、当該訂正を認める。
　
三、特許異議申立てについて
１．特許異議申立ての理由の概要
　申立人は下記の証拠方法を提示して、本件の特許請求の範囲に記載の請求項１に係る発明（以下、「本件発明」という。）についての特許は取り消されるべきであるとして、次のように申し立てている。
［理由１］：本件発明は、甲第１号証に記載された発明と同一であるから、本件特許は特許法第２９条の２第１項の規定に違反してなされたものである。
［理由２］：本件発明は、甲第２号証及び甲第３号証に記載された発明に基いて当業者が容易に発明をすることができたものであるから、本件特許は特許法第２９条第２項の規定に違反してなされたものである。
　　　　　　　　　　　　　　　　　記
［甲第１号証］：特願平２−２７７１９６号（特開平３−２２２９８２号公報参照）の願書に最初に添付した明細書又は図面（前記二、の欄の「３．独立特許要件の判断」の項の「先願明細書等」を参照）
［甲第２号証］：特開昭６４−６４６８１号公報
［甲第３号証］：特開平１−１７５８８０号公報
　
２．本件発明
　本件発明は、訂正明細書の特許請求の範囲の請求項１に記載された次の事項により特定されるとおりのものである（前記二、の欄の「１．訂正の内容」の項の［訂正事項ａ］を参照）。
　「１．パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態に
なったとき及び前記操作手段が操作されたとき
　
３．甲号各証に記載の発明
［甲第１号証］には、前記二、の欄の「３．独立特許要件の判断」の項の「（２）先願明細書等に記載の発明の内容」に「先願発明」として記載したとおりの発明が記載されている。
　
［甲第２号証］には、パチンコゲーム機に関し、次の事項が記載されている。
　「パチンコゲーム機の持ち球皿からオーバーフローもしくは遊技者の操作により排出される持ち球の数を計数し、登録持ち球として記録・表示する記録表示手段と、前記登録持ち球以内の遊技球を前記持ち球皿に自動的に、もしくは遊技者の操作によりパチンコゲーム機の持ち球皿内に排出して前記登録持ち球から減算する修正手段と、修正されて表示されている登録持ち球の情報を随時持ち運び可能の記録媒体に転写し、かつ、随時に此の記録媒体内の前記情報を読みとって再搭載可能な書込読取手段とを備えたことを特徴とするパチンコゲーム機。」（１頁左欄５行〜１７行）
　「各図は本発明の一実施例を示している。パチンコゲーム機Ｐは垂直盤面１０上に設けられた複数個のセーフ孔１１と一個のアウト孔１２および多数の釘とから成り、遊技者に面する前面下部には持ち球皿（上皿）１３とパチンコ球を発射する発射ノブ１４などが備えられている。上皿１３の下方には持ち球を記録媒体（以後カードと称する）Ｃを挿入するカード挿入口２１、登録持ち球を表示する表示部２２、各種操作ボタン２３，２３ａ…を有するスイッチ部２５などを備えた操作盤２０が設けられている。」（２頁右下欄１７行〜３頁左上欄７行）
　「持ち球皿１３の下部に設けられている操作盤２０の盤上には登録持ち球を表示する表示部２２と、遊技者が各種操作を指示する複数個の操作ボタン２３と、カードＣを挿入するカード挿入口２１とが備えられており、内部にはカード挿入口２１から挿入されたカードＣから各種情報を読取り、制御器５０からの情報を書き込む読取書き込み部２４と操作ボタンに対応するスイッチ部とが設けられている。」（３頁右上欄８行〜１６行）
　「遊技者が既に他のゲーム機Ｐで自己の持ち球を入手し、カードＣに記録ずみの場合はこのカードＣを挿入口２１に差し込めば登録持ち球として表示部２２に表示される。そしてスイッチ部２５の操作ボタン２３，２３ａ…のうち適切な一つを押すと持ち球皿１３にパチンコ球が供給され、供給数に対応する個数は表示盤上の個数から差し引かれて修正表示される。遊技が成功して賞球が多数供給されるとやがて持ち球皿１３は一杯になり、溢れた球はオーバーフロー管３９を通り排球ポンプ３８を経て排出管３６を通り通流溝３７に排出される。そして排球ポンプ３８を通った球はパルス発信器３３ｂによって計数され制御器５０に伝達されて登録され同時に表示部に表示される。持ち球皿１３内に実球が乏しくなったらスイッチ部２５の操作ボタン２３，２３ａ…のうち適切な一つを押して実球の供給を受ける。言うまでもなくこの際供給される実球は表示部２２に表示されている登録持ち球を超えることはない。そしてこのとき供給されるパチンコ球は供給タンク３１から出て供給ポンプ３５を通過する際に計数され、パルス発信器３３ａから制御器５０に伝達され元の登録数から減算されて再表示される。発停器３４は制御器５０の指令により供給ポンプ３５の発進停止を行なうものである。前記供給ポンプ３５によるパチンコ球の供給は上記のような遊技者の請求に基づく場合以外にセーフ玉による賞球の払出し用として使用することが可能である。この時、セーフ玉の検出は各セーフ孔１１のセンサー１５を設け、そこからの情報指令による方法と、セーフ孔に入った玉を１ヶ所に集め、そこから一発ずつ検出する方法がある。両者の弁別は制御部５１によってなされる。遊技終了時には操作ボタン２３によって開閉バルブ４０を開き、持ち球皿１３内の実球を開放管４１に落し排球ポンプ３８によって計数し表示登録個数に加算して全持ち球を表示させ確認する。この間持ち球の情報はカードＣに書き込まれている。開閉バルブ４０は手動方式でもよい。カードＣを操作盤２０から取出し、景品交換所に提示すればカードを読み取って景品が支給される。」（３頁左下欄６行〜４頁左欄７行）
　
［甲第３号証］には、パチンコ台に関し、次の事項が記載されている。
　「１．遊技者により目視可能で且つ外部から遮蔽された状態で設けられ所定個数のパチンコ玉を収納可能な玉受部と、この玉受部内のパチンコ玉を順次盤面に発射するための玉発射機構と、金額に対応した遊技用情報が記憶された遊技券が挿入されるカード挿入口と、前記遊技券の挿入状態でその遊技券に記憶された遊技用情報の範囲内で前記玉受部にパチンコ玉を選択的に放出すると共にパチンコ玉の入賞に連動して所定個数ずつのパチンコ玉を上記玉受部に放出する放出機構と、前記玉受部内のパチンコ玉数が収納限度数を越えた状態でその玉受部をオーバーフローしたパチンコ玉を計数する計数手段と、少なくとも前記計数手段による計数値に対応したパチンコ玉数を表示する表示装置と、前記玉受部内のパチンコ玉数が下限個数以下となったときに前記計数手段の計数値に対応したパチンコ玉数の範囲内で上記玉受部にパチンコ玉を放出する補助放出機構と、前記計数手段による計数値を前記補助放出機構による放出パチンコ玉数分だけ減少させると共に遊技終了時にはその計数手段の計数値に対応したパチンコ玉数及び前記玉受部内のパチンコ玉数の合計を前記遊技券に記憶させる制御回路とを備えたことを特徴とするパチンコ台。」（１頁左欄４行〜右欄７行）
　「玉受部１８には、その収納パチンコ玉（つまり遊技に供されるパチンコ玉）が所定の下限個数Ｎｍｉｎ（例えば５〜１０個程度）以下になったときに残玉検知信号Ｓａを発生する残玉検知装置２５が設けられていると共に、上記収納パチンコ玉が零になったときに空検知信号Ｓｂを発生する空状態検知装置２６が設けられている。加えて、パチンコ台１５には、入賞孔１９ａに入賞したパチンコ玉を検知する毎に入賞検知信号Ｓｃを発生する入賞玉検知装置２７が設けられている。」（６頁左下欄１５行〜右下欄５行）
　「一方、ステップＢ２０で「ＹＥＳ」と判断した場合（玉受部１８内のパチンコ玉が残り少なくなった場合）には、アップダウンカウンタ４０の計数値Ｘが「１」以上あるか否か、換言すれば玉受部１８をオーバーフローしたパチンコ玉があるか否かを判断する（ステップＢ２２）。ここで「ＹＥＳ」と判断したときには、玉供給装置２８に対して、設定個数Ｎａのパチンコ玉を放出するように指令するものであり（ステップＢ２３）、これに応じて玉受部１８にパチンコ玉が補給されるようになる。但し、この時点でのアップダウンカウンタ４０の計数値Ｘが上記設定個数Ｎａより小さいときには、その計数値Ｘに対応した数のパチンコ玉が放出される。そして、この後には、上記のように放出したパチンコ玉数（Ｎａ若しくはＸ）と同じ数の計数パルスＰ３をアップダウンカウンタ４０のダウンカウント端子Ｄに与える（ステップＢ２４）。この結果、上記カウンタ４０がダウンカウント動作を行なうようになり、その計数値Ｘが放出パチンコ玉数分だけ減らされる共に、これに応じて獲得パチンコ玉数表示部３２による表示内容（遊技者の獲得パチンコ玉数）も変更されるようになる。次いで、アップダウンカウンタ４０の計数値Ｘが「０」か否か、換言すれば遊技者が獲得したパチンコ玉があるか否かを判断し（ステップＢ２５）、ここで「ＮＯ」と判断した場合には前記ステップＢ２１へ移行し、「ＹＥＳ」と判断した場合には、記憶パチンコ玉数Ｎが零か否かを判断する（ステップＢ２６）。ここで「ＮＯ」と判断したとき、つまりパチンコ玉数情報表示部３１の表示が「０」以外の状態では、前記ステップＢ１７へ移行して前述同様のパチンコ玉の放出及び記憶内容の更新等を行なう。尚、このときにおけるステップＢ１７の放出パチンコ玉数は、一定個数（例えば２５個）に自動設定される。また、ステップＢ２６で「ＹＥＳ」と判断したとき、つまり記憶パチンコ玉数Ｎひいてはパチンコ玉数情報表示部３１の表示が「０」となったときには、記憶部３８の記憶金額Ｍが零か否かを判断する（ステップＢ２７）。ここで「ＮＯ」と判断したとき、つまり金額情報表示部３０の表示が「０」以外の状態では、前記ステップＢ１７へ移行して前述同様のパチンコ玉の放出及び記憶内容の更新等を行なう。尚、このときにおけるステップＢ１７での放出パチンコ玉数は、一定金額に対応した個数（例えば１００円に対応した２５個）に自動設定される。また、ステップＢ２７で「ＹＥＳ」と判断した場合には、零検知信号Ｓｂが入力されたか否かを判断する（ステップＢ２８）。ここで「ＮＯ」と判断したとき、つまり玉受部１８内にパチンコ玉がある状態では前記ステップＢ２１へ移行する。従って、玉受部１８内にパチンコ玉が残っている状態では、上述した各ステップ或はルーチンＢ１５〜Ｂ２７が選択的に実行されるものであり、以て遊技の続行が可能となる。また、ステップＢ２８で「ＹＥＳ」と判断されたとき、つまりアップダウンカウンタ４０の計数値Ｘ、及び記憶金額Ｍひいては金額情報表示部３０の表示、並びに記憶パチンコ玉数Ｎひいてはパチンコ玉数情報表示部３１の表示が夫々「０」となった状態で、さらに玉受部１８内のパチンコ玉が零になったときには、所定の遅れ時間ｔ１だけ待機するループを形成し（ステップＢ２９）、この後に再度零検知信号Ｓｂが入力されたか否かを判断する（ステップＢ３０）。尚、各ステップＢ２９，Ｂ３０は、玉受部１８内のパチンコ玉が一旦零になった後でも、ファウルパチンコ玉及び入賞パチンコ玉の発生に応じて玉受部１８内のパチンコ玉が１個以上に戻ることがあるのに対処して設けられるものであり、従って、前記遅れ時間ｔ１は、このような事情に即したものとなるように決定される。ステップＢ３０で「ＹＥＳ」と判断されたとき、つまり玉受部１８内のパチンコ玉が最終的に「０」になったときには、発射機構１７の電源を遮断して遊技を停止させると共に、前記稼働中信号Ｓｄｄの出力を停止する（ステップＢ３１，Ｂ３２）。」（１０頁左上欄２行〜右下欄１９行）
　
４．当審の判断
（１）理由１（特許法第２９条の２第１項違反）について
　本件発明に対する甲第１号証に記載された発明についての対比・判断は、前記二、の欄の「３．独立特許要件の判断」の項の「（３）対比・判断」に記載したとおりであり、甲第１号証には、本件発明の「上記切換スイッチにより自動玉貸モードが選択された状態では、前記検出手段が検出状態になったとき及び前記操作手段が操作されたときに前記端末装置にセットされた遊技券の記憶対価情報の範囲内のパチンコ玉を前記放出機構から前記玉発射機構用補給皿へ貸出球として放出させる」なる構成について記載されてなく、かつ、前記構成が自明のものということもできない。そして、本件発明は、前記構成により明細書に記載の効果を奏するものと認められる。
　したがって、本件発明は上記甲第１号証に記載された発明と同一である、ということができない。
　
（２）理由２（特許法第２９条第２項違反）について
　前記三、の欄の「３．甲号各証に記載の発明」の項の［甲第２号証］の記載によれば、該甲第２号証には、本件発明の「前記玉発射機構用補給皿内のパチンコ玉が所定個数以下になったことを検出する検出手段」及び「自動玉貸モード及び手動玉貸モードの何れかを選択可能に設けられた切換スイッチ」について記載されてなく、かつ、本件発明の「上記切換スイッチにより自動玉貸モードが選択された状態」についても記載されていないものであり、また、同じく［甲第３号証］の記載によれば、該甲第３号証には、本件発明の「自動玉貸モード及び手動玉貸モードの何れかを選択可能に設けられた切換スイッチ」について記載されてなく、かつ、本件発明の「この切換スイッチにより手動玉貸モードが選択された状態」及び「上記切換スイッチにより自動玉貸モードが選択された状態」についても記載されていないものである。
　そうしてみると、上記甲第２号証及び甲第３号証のいずれにも、本件発明の「上記切換スイッチにより自動玉貸モードが選択された状態では、前記検出手段が検出状態になったとき及び前記操作手段が操作されたときに前記端末装置にセットされた遊技券の記憶対価情報の範囲内のパチンコ玉を前記放出機構から前記玉発射機構用補給皿へ貸出球として放出させる」なる構成が記載されてなく、また示唆されてもいない。
　上記のとおり、上記甲第２号証及び甲第３号証には本件発明の構成の一部が個々に記載されているだけであり、このような甲第２号証及び甲第３号証にそれぞれ記載の発明を組み合わせたとしても、もとより本件発明の構成を得ることができない。そして、本件発明は、前記構成により明細書に記載の効果を奏するものと認められる。
　したがって、本件発明は上記甲第２号証ないし甲第３号証に記載された発明に基づいて当業者が容易に発明をすることができたものである、とすることができない。
　
５．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１２年１２月１２日（２０００．１２．１２）
【訂正の要旨】
　訂正の要旨
［訂正事項ａ］
　特許明細書の特許請求の範囲の
　「【請求項１】パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態になる毎に前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという自動貸出動作を行う放出制御手段とを備えたことを特徴とするパチンコゲーム機。」の記載を、
　特許請求の範囲の減縮を目的として、
　「１．パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態に
なったとき及び前記操作手段が操作されたとき
［訂正事項ｂ］
　特許明細書の発明の詳細な説明の欄の（課題を解決するための手段）における
　「本発明は、上記目的を達成するために、パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態になる毎に前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという自動貸出動作を行う放出制御手段とを備えた構成としたものである。」の記載を、
　明りょうでない記載の釈明を目的として、
　「本発明は、上記目的を達成するために、パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態に
なったとき及び前記操作手段が操作されたとき
［訂正事項ｃ］
　特許明細書の発明の詳細な説明の欄の（作用）における
　「遊技者がパチンコゲーム機において新規に遊技を開始しようとする場合には、そのパチンコゲーム機が有する端末装置に対して、対価情報が記憶された遊技券をする。」の記載を、
　誤記の訂正を目的として、
　「遊技者がパチンコゲーム機において新規に遊技を開始しようとする場合には、そのパチンコゲーム機が有する端末装置に対して、対価情報が記憶された遊技券を
セット
［訂正事項ｄ］
　特許明細書の発明の詳細な説明の欄の（作用）における
　「この場合、切換スイッチにより手動玉貸モードが選択されている状態で操作手段を操作すると、放出制御手段が、遊技券の記憶対価情報の範囲内で貸出球としてのパチンコ玉を玉発射機構用補給皿へ放出機構を通じて放出させると共に、上記対価情報をその放出パチンコ玉数に応じた分だけ減少させるようになるから、遊技者は上記パチンコ玉により遊技を行うことができる。」の記載を、
　明りょうでない記載の釈明を目的として、
　「
この状態（切換スイッチにより手動玉貸モード及び自動玉貸モードの何れかが選択されている状態）から
（５４）【発明の名称】
パチンコゲーム機
（５７）【特許請求の範囲】
　１．パチンコ玉の入賞に応じて賞球としてのパチンコ玉を玉発射機構用補給皿へ放出する放出機構と、
　対価情報が記憶された遊技券をセット可能な端末装置と、
　遊技者により操作可能に設けられた操作手段と、
　前記玉発射機構用補給皿内のパチンコ玉が所定個数以下になったことを検出する検出手段と、
　自動玉貸モード及び手動玉貸モードの何れかを選択可能に設けられた切換スイッチと、
　この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態に
なったとき及び前記操作手段が操作されたとき
【発明の詳細な説明】
［発明の目的］
　（産業上の利用分野）
　本発明は、賞球としてのパチンコ玉を放出するために設けられた放出機構を利用して貸出球としてのパチンコ玉を放出させるようにしたパチンコゲーム機に関する。
　（従来の技術）
　パチンコホールにおいては、対価情報である金額情報を記憶した遊技券としてのプリペイドカードを利用して遊技用のパチンコ玉の貸出を行う構成とすることが行われているが、この場合でも、パチンコ玉を貸出すための玉貸機をパチンコゲーム機とは別途に設けるようにしており、このため多くの設備を必要としてメンテナンスの複雑化を招いているのが実情である。そこで、近年においては、パチンコゲーム機に賞球としてのパチンコ玉を任意個数ずつ放出できる構成の放出機構が設けられていることに着目して、パチンコゲーム機に上記放出機構を利用した玉貸機能を持たせる構成とし、以て玉貸機を別途に設けなくとも済むようにすることが考えられており、この場合、放出機構はパチンコ玉を玉発射機構用補給皿へ放出する構成となっているから、貸出を受けたパチンコ玉を一々玉発射機構用補給皿へ移す必要がなくなるという副次的効果も得られる。
　（発明が解決しようとする課題）
　上記のように構成されたパチンコホールで遊技者がパチンコゲーム機での遊技を継続的に行う場合において、その遊技途中において手持ちパチンコ玉が残り少なくなったとき（或いは手持ちパチンコ玉がなくなったとき）には、その都度毎にパチンコ玉の貸出を受けねばならず、その貸出を受けるための操作が煩雑になって遊技の興を削ぐ虞があり、この点が未解決の課題となっていた。
　本発明は上記事情に鑑みてなされたものであり、その目的は、玉発射機構用補給皿内のパチンコ玉が残り少なくなったときに、予めセットされた状態の遊技券に記憶された対価情報の範囲内の所定個数のパチンコ玉を当該補給皿に対して自動的に供給するという自動玉貸動作を、遊技者が必要とするときのみ選択的に行わせることができ、以てパチンコ玉の貸出を受けるための操作を大幅に簡単化できると共に遊技者側の利便性を向上させ得るようになるパチンコゲーム機を提供するにある。
［発明の構成］
　（課題を解決するための手段）
　本発明は、上記目的を達成するために、パチンコ玉の入賞に応じて賞球としてのパチンコ玉を玉発射機構用補給皿へ放出する放出機構と、対価情報が記憶された遊技券をセット可能な端末装置と、遊技者により操作可能に設けられた操作手段と、前記玉発射機構用補給皿内のパチンコ玉が所定個数以下になったことを検出する検出手段と、自動玉貸モード及び手動玉貸モードの何れかを選択可能に設けられた切換スイッチと、この切換スイッチにより手動玉貸モードが選択された状態では、前記操作手段が操作されたときに前記端末装置にセットされた遊技券の記憶対価情報の範囲内のパチンコ玉を前記放出機構から前記玉発射機構用補給皿へ貸出球として放出させると共に、上記対価情報をその放出パチンコ玉数に応じた分だけ減少させるという手動貸出動作を行い、上記切換スイッチにより自動玉貸モードが選択された状態では、前記検出手段が検出状態に
なったとき及び前記操作手段が操作されたとき
　（作用）
　遊技者がパチンコゲーム機において新規に遊技を開始しようとする場合には、そのパチンコゲーム機が有する端末装置に対して、対価情報が記憶された遊技券を
セット
この状態（切換スイッチにより手動玉貸モード及び自動玉貸モードの何れかが選択されている状態）から
　この後、パチンコゲーム機での遊技により玉発射機構用補給皿内のパチンコ玉が所定個数以下に減少したときには、検出手段が検出状態を呈するようになる。このような場合、前記切換スイッチにより自動玉貸モードが選択されていたときには、放出制御手段にあっては、検出手段が検出状態となる毎に前記遊技券の記憶対価情報の範囲内で放出機構から所定個数のパチンコ玉を放出させて玉発射機構用補給皿に流入させると共に、遊技券の対価情報を上記放出パチンコ玉数に応じた分だけ減少させるようになる。この結果、遊技途中において手持ちパチンコ玉が残り少なくなったときに、従来のように、その都度パチンコ玉の貸出操作を行う必要がなくなる。要するに、遊技者は、操作手段の操作毎に上記遊技券の記憶対価情報の範囲内でパチンコ玉を放出させるという通常の手動玉貸動作の他に、上述したような自動的な玉貸動作が行われる状態を選択することができるものである。
　（実施例）
　まず、本発明の第１実施例について第１図乃至第３図を参照しながら説明する。
　第１図において、パチンコゲーム機１は、その玉発射機構用補給皿たる上皿２内のパチンコ玉を電動式の発射機構３を通じて盤面４へ発射する構成となっている。上記盤面４には、３桁の数字列を備えたルーレット５、複数個の通常の入賞孔６、電気役物７ａを備えた特賞用入賞孔７、スタート用入賞孔８が設けられている。この場合、ルーレット５は、スタート用入賞孔８にパチンコ玉が入賞するのに応じて動作開始されると共に、この後に所定時間が経過したときに動作停止されるものであり、停止時における各桁の数字が特定の組合わせとなったときに特賞状態を呈する構成となっており、斯かる特賞状態では電気役物７ａにより特賞用入賞孔７が例えば所定時間だけ開放されてパチンコゲーム機１の入賞率が極端に高くなる。尚、通常の入賞孔６、特賞用入賞孔７へのパチンコ玉の入賞に応じた賞球は例えば１３個に設定され、スタート用入賞孔８へのパチンコ玉の入賞に応じた賞球は例えば７個に設定されている。
　パチンコゲーム機１の背面側上部に設けられた貯留タンク９は、図示しない玉補給路から第１の計数器１０を通じて供給されるパチンコ玉を」時的に貯留すると共に、その貯留パチンコ玉をパチンコゲーム機１の背面側に設けられた放出機構１１に与えるようになっている。尚、上記第１の計数器１０は、貯留タンク９に供給されるパチンコ玉数を計数するものであり、その計数値を示す放出玉数信号Ｐａを周知構成のパチンコホール用集中管理装置に送信する構成となっている。
　放出機構１１は、貯留タンク９内のパチンコ玉を上皿２内へ放出するために設けられたもので、駆動源として例えばステップモータ（図示せず）が利用されており、そのステップモータの回転量を制御することによりパチンコ玉放出個数を任意に制御できる構成となっている。
　パチンコゲーム機１の背面側下部に設けられたアウト玉タンク１２には、盤面４に打込まれたパチンコ玉が流入するようになっており、そのパチンコ玉は第２の計数器１３を通じて回収されるようになっている。尚、第２の計数器１３は、上記のような回収パチンコ玉数を計数するものであり、その計数値を示すアウト玉数信号Ｐｂを前記図示しない集中管理装置に送信する構成となっている。
　パチンコゲーム機１の前面側下部には、カードユニット１４が設けられている。このカードユニット１４は、その前面に、遊技券たるプリペイドカードＰＣが挿入される挿入口１５、この挿入口１５に挿入された状態のプリペイドカードＰＣを取出すときに操作されるイジェクトスイッチ１６、上記プリペイドカードに記憶された対価情報としての金額情報Ｍを表示するための残高表示部１７、この残高表示部１７に表示された金額情報Ｍの範囲内のパチンコ玉を前記放出機構１１を通じて放出させるための操作手段たる玉貸スイッチ１８、自動玉貸モード及び手動玉貸モードの何れかを選択するための切換スイッチ１９を備え、内部には端末装置たるカードリーダライタ（第２図に符号２０を付して示す）を備えて成る。
　尚、上記プリペイドカードＰＣは、磁気カードを利用したもので、所定のセキュリティコードＣＸの他に販売価額に応じた金額情報Ｍが例えば１００円単位で記憶されている。
　パチンコゲーム機１の上皿２には、検出手段たる玉切れセンサ２１が設けられており、この玉切れセンサ２１は、上皿２内のパチンコ玉が所定個数（例えば１０個程度）以下となったときに玉切れ検知信号Ｓｐを発生するようになっている。
　パチンコゲーム機１の背面側には、放出制御手段たる制御回路２２が設けられている。この制御回路２２は、マイクロコンピュータにより構成されたもので、第２図には制御回路２２の周辺回路構成が示されており、以下これについて制御回路２２の概略的な機能と共に説明する。
　即ち、第２図において、前記入賞孔６に対応して設けられた入賞検知スイッチ２３群、前記特賞用入賞孔７に対応して設けられた入賞検知スイッチ２４、前記スタート用入賞孔８に対応して設けられた入賞検知スイッチ２５は、パチンコ玉の入賞に応じて夫々検知パルスＰ１、Ｐ２、Ｐ３を発生するようになっており、それらの検知パルスＰ１、Ｐ２、Ｐ３は入力回路２６を介して制御回路２２に与えられる。このとき、制御回路２２は、検知パルスＰ１、Ｐ２、Ｐ３が入力される毎に放出機構１１を出力回路２７を通じて駆動するものであり、これにより賞球としてのパチンコ玉を上皿２へ放出する。尚、この場合、検知パルスＰ１、Ｐ２の各入力時には１３個のパチンコ玉を放出し、検知パルスＰ３の入力時には７個のパチンコ玉を放出する構成となっている。
　前記スロットマシン５は、その停止時における各桁の数字を示す数値信号Ｓ１〜Ｓ３を入力回路２６を介して制御回路２２に与えるようになっている。制御回路２２にあっては、上記数値信号Ｓ１〜Ｓ３により示される数字が特定の組合わせとなったときに出力回路２７を通じて電気役物７ａを動作させ、以てパチンコゲーム機１を前述した特賞状態に切換えると共に、出力回路２７及び送信回路２８を通じて特賞信号Ｓｆ（ハイレベル信号）を出力するようになっている。
　前記イジェクトスイッチ１６、玉貸スイッチ１８及び切換スイッチ１９、並びに玉切れセンサ２１は、各オン信号及び切換信号並びに検知信号Ｓｐを入力回路２６を介して制御回路２２に与え、制御回路２２との間でデータの授受を行うように設けられた前記カードリーダライタ２０は、挿入口１５にプリペイドカードＰＣが挿入されたときに挿入検知信号を発生して制御回路２２に与えるようになっている。
　しかして、制御回路２２にあっては、上記オン信号及び挿入検知信号並びにプリペイドカードＰＣからの読み出し情報に基づいて、第３図に示すような制御を行う構成となっており、以下その制御内容の概略を説明する。
　即ち、制御回路２２は、まず、カード挿入口１５にプリペイドカードＰＣが挿入されたか否かを判断し、挿入状態となるまで待機する（ステップＡ１）。カード挿入口１５にプリペイドカードＰＣが挿入されたときは、そのプリペイドカードＰＣの挿入状態を保持すると共に、当該プリペイドカードＰＣの記憶情報を読み出してラッチする（ステップＡ２、Ａ３）。
　次いで、制御回路２２は、上記読み出し情報中のセキュリティコードＣＸを照合して挿入口１５に挿入されたプリペイドカードＰＣが適正なものか否かを判断し（ステップＡ４）、不適正であった場合には、そのプリペイドカードＰＣをカードリーダライタ２０を通じて返却すると共に、前記ラッチ情報及び後述する入力禁止タイマを初期化してステップＡ１へ戻る（ステップＡ５、Ａ６）。また、制御回路２２は、挿入されたプリペイドカードＰＣが適正なものであった場合には、そのプリペイドカードＰＣに１００円単位で記憶されている金額情報Ｍを残高表示部１７に表示する（ステップＡ７）。
　次いで、制御回路２２は、上記表示金額情報Ｍが１００円未満か否かを判断し（ステップＡ８）、１００円未満であった場合（金額データＭの処理は１００円単位で行われるから、実際には表示金額情報Ｍが零の場合に相当）には、前記プリペイドカードＰＣの返却ステップＡ５、及び初期化ステップＡ６を実行した後にステップＡ１へ戻る。
　残高表示部１７に１００円以上の金額情報Ｍが記憶されていた場合には、制御回路２２は、玉切れセンサ２１から検知信号Ｓｐが入力されたか否か、つまりパチンコゲーム機１の上皿２内のパチンコ玉が所定個数以下か否かを判断し（ステップＡ９）、検知信号Ｓｐが入力されていないときには、玉貸スイッチ１８がオン操作されたか否かを判断し（ステップＡ１０）、玉貸スイッチ１８がオン操作されていないときには、イジェクトスイッチ１６がオン操作されたか否かを判断し（ステップＡ１１）、イジェクトスイッチ１６がオン操作されていないときにはステップＡ８へ戻る。
　従って、制御回路２２は、上皿２内に所定個数より多いパチンコ玉が収納されている状態で、玉貸スイッチ１８及びイジェクトスイッチ１６が何れもオン操作されない場合には、ステップＡ８〜Ａ１１を繰り返し実行するループを形成する。
　ここで、遊技者がパチンコゲーム機１において新規に遊技を開始しようとする場合のように上皿２内のパチンコ玉が零の状態時、或はパチンコゲーム機１での遊技により上皿２内のパチンコ玉が所定個数以下に減少した状態時には、玉切れセンサ２１から検知信号Ｓｐが出力される。すると、制御回路２２は、ステップＡ９で「ＹＥＳ」と判断した後に、切換スイッチ１９による選択モードが自動玉貸モードか否かを判断するようになり（ステップＡ１２）、「ＮＯ」の場合（手動玉貸モードが選択されていた場合）には前記ステップＡ１０へ移行するが、「ＹＥＳ」の場合には、内部に有する入力禁止タイマ（図示せず）がタイマ動作中か否かを判断し（ステップＡ１３）、動作していない場合にはその入力禁止タイマに一定時間のタイマ動作を開始させるステップＡ１４を実行した後にステップＡ１５へ移行し、タイマ動作中の場合にはステップＡ１０へ移行する。
　尚、上記入力禁止タイマは、検知信号Ｓｐの出力に伴う後述のパチンコ玉の放出動作が行われたときに、玉切れセンサ２１が上記検知信号Ｓｐの出力を停止するまでの時間を確保するために設けられている。
　制御回路２２は、上記ステップＡ１５では、放出機構１１を通じて１００円相当個数のパチンコ玉を貸出球として上皿２へ放出し、この後にプリペイドカードＰＣの記憶金額情報Ｍをカードリーダライタ２０を通じて１００円分だけ減額するように書き替え（ステップＡ１６）、これに応じて残高表示部１７の表示を１００円分だけ減少させる（ステップＡ１７）。次いで、制御回路２２は、送信回路２８を通じてパルス状の売上信号Ｐｍを出力し（ステップＡ１８）、この後に前記ステップＡ１１へ移行する。
　上述したようなステップＡ１５以降の制御は、ステップＡ１０で「ＹＥＳ」と判断された場合、つまり玉貸スイッチ１８がオン操作された場合にも行われるものであり、従って、切換スイッチ１９による選択モードの如何に拘らず、玉貸スイッチ１８のオン操作毎に、挿入状態にあるプリペイドカードＰＣに記憶されている金額情報Ｍの範囲内で単位個数ずつのパチンコ玉へ上皿２に放出されることになる。
　イジェクトスイッチ１６がオンされた場合（ステップＡ１１で「ＹＥＳ」）、制御回路２２は、金額情報Ｍの書き替え中であった場合にその書き替えが済むまで待機し（ステップＡ１９）、上記書き替え動作が行われていない状態では、プリペイドカードＰＣをカードリーダライタ２０を通じて返却すると共に、前記ラッチ情報及び入力禁止タイマを初期化し（ステップＡ２０、Ａ２１）、この後にステップＡ１へ戻る。従って、遊技者は必要に応じてプリペイドカードＰＣの返却を受けることができる。
　尚、制御回路２２は、周知構成のパチンコホール用集中管理装置（図示せず）からの打止信号Ｓｚを受けるようになっており、打止信号Ｓｚが入力されたときには出力回路２７を通じて発射機構３の電源を遮断してパチンコゲーム機１を遊技不能状態に切換える構成となっている。
　以上要するに、パチンコゲーム機１は、カードユニット１４の挿入口１５に対して、適正且つ１００円以上の金額情報Ｍが記憶されたプリペイドカードＰＣが挿入された状態では、玉貸スイッチ１８がオン操作される毎に上記プリペイドカードＰＣに記憶されている金額情報Ｍの範囲内で１００円分ずつのパチンコ玉を貸出球として上皿２へ放出すると共に、プリペイドカードＰＣに記憶されている金額情報Ｍを１００円分ずつ減少させるものである。この場合、上記のようなパチンコ玉の放出は、賞球としてのパチンコ玉を放出するために設けられた放出機構１１を利用して行っているから、パチンコゲーム機及び玉貸機を別途に設ける場合のように多くの設備を必要としなくなるものである。
　また、パチンコゲーム機１は、上述のように適正且つ１００円以上の金額情報Ｍが記憶されたプリペイドカードＰＣが挿入された状態において、切換スイッチ１９により自動玉貸モードが選択されていた場合には、上皿２内のパチンコ玉が所定個数以下となって玉切れセンサ２１から検知信号Ｓｐが出力される毎に、上述のようなパチンコ玉の放出動作及びプリペイドカードＰＣのデータ書き替え動作を行うものである。つまり、遊技者がパチンコゲーム機１において新規に遊技を開始すべくカードユニット１４の挿入口１５にプリペイドカードＰＣを挿入したとき、並びにプリペイドカードＰＣを挿入したままパチンコゲーム機１での遊技を行っている最中に上皿２内のパチンコ玉が所定個数以下に減少したときには、単位個数（１００円分）ずつのパチンコ玉が上皿２に自動的に供給されると共に、その供給毎にプリペイドカードＰＣに記憶されている金額情報Ｍが１００円分ずつ減少されるものである。この結果、遊技途中において手持ちパチンコ玉が残り少なくなったときに、その都度パチンコ玉の貸出操作を行うという煩雑さがなくなるものである。
　尚、上記実施例では、自動玉貸モード時において、１００円分のパチンコ玉を上皿２へ自動供給する構成としたが、予め所望に設定した価額のパチンコ玉を自動供給する構成としても良いものであり、この場合には前記第３図中のステップＡ１４に引き続いて、第４図に示すような制御を行う構成とすれば良い。
　即ち、第４図は、上皿２内のパチンコ玉が所定個数以下に減少したときに、遊技者側において任意に設定できるように構成された設定額ΔＭ分ずつのパチンコ玉を上皿２へ自動的に供給する例を示しており、以下これについて説明する。
　制御回路２２は、ステップＡ１４実行後において、プリペイドカードＰＣに記憶されている金額情報Ｍが設定価額ΔＭ以上か否かを判断し（ステップＡ２２）、設定価額ΔＭ以上であった場合には、放出機構１１を通じて設定価額ΔＭに相当した個数のパチンコ玉を貸出球として上皿２へ放出し（ステップＡ２３）、この後にプリペイドカードＰＣの記憶金額情報Ｍをカードリーダライタ２０を通じてΔＭ分だけ減額するように書き替える（ステップＡ２４）。次いで、制御回路２２は、残高表示部１７の表示をΔＭだけ減少させると共に、送信回路２８を通じてパルス状の売上信号Ｐｍを上記設定価額ΔＭ分だけ出力し（ステップＡ２５、Ａ２６）、この後にステップＡ８へ戻る。
　一方、プリペイドカードＰＣに記憶されている金額情報Ｍが設定価額ΔＭ未満であった場合（ステップＡ２２で「ＮＯ」）には、制御回路２２は、放出機構１１を通じて上記記憶金額情報Ｍの全額に相当した個数のパチンコ玉を貸出球として上皿２へ放出し（ステップＡ２７）、この後にプリペイドカードＰＣの記憶金額情報Ｍを「０」に書き替える（ステップＡ２８）。次いで、制御回路２２は、残高表示部１７の表示を初期化すると共に、送信回路３９を通じてパルス状の売上信号Ｐｍを上記金額情報Ｍに相当した価額分だけ出力し（ステップＡ２９、Ａ３０）、この後にステップＡ８へ戻る。従って、この場合には、制御回路２２がステップＡ８で「ＹＥＳ」と判断するようになるから、ステップＡ５、Ａ６が実行されてプリペイドカードＰＣの返却、及びステップＡ３でのラッチ情報及び入力禁止タイマの初期化が行われる。
　第５図乃至第８図には本発明の第２実施例が示されており、以下これについて前記第１実施例と異なる部分のみ説明する。
　第５図において、パチンコゲーム機１´は、第１実施例におけるパチンコゲーム機１と同様の貯留タンク９、放出機構１１、アウト玉タンク１２、玉切れセンサ２１などを有し、また、パチンコゲーム機１´に対応した状態で、放出玉数信号Ｐａを発生する第１の計数器１０、アウト玉数信号Ｐｂを発生する第２の計数器１３が設けられている。
　パチンコゲーム機１´の背面側には、補助制御回路２９が設けられており、この補助制御回路２９は、第６図に示すように、入賞検知スイッチ２３、２４、２５群がらの検知パルスＰ１、Ｐ２、Ｐ３に基づいた賞球としてのパチンコ玉の放出動作、スロットマシン５からの数値信号Ｓ１〜Ｓ３に基づいた電気役物７ａの動作及び特賞信号Ｓｆの出力の制御、外部からの打止信号Ｓｚに基づいた打止動作の各制御を前記第１実施例における制御回路２０と同様に行う構成となっている。また、補助制御回路２９は、後述する制御ユニット３０から放出指令信号Ｓｊが与えられたときに、パチンコゲーム機１側の放出機構１１を通じて１００円相当個数のパチンコ玉を貸出球として上皿２へ放出すると共に、その放出が完了したときに放出完了信号Ｓｋを制御ユニット３０ヘフィードバックするように構成されている。
　さて、制御ユニット３０は、第５図に示すように、パチンコゲーム機１´の上方に設置されており、その前面に、図示しないプリペイドカード（第１実施例におけるものと同じ構成のものでセキュリティコードＣＸ、金額情報Ｍが記憶されている）が挿入される挿入口３１、この挿入口３１に挿入された状態のプリペイドカードを取出すときに操作されるイジェクトスイッチ３２、上記プリペイドカードに記憶された金額情報Ｍを表示するための残高表示部３３、この残高表示部３３に表示された金額情報Ｍの範囲内のパチンコ玉を前記パチンコゲーム機１´内の放出機構１１を通じて放出させるための操作手段たる玉貸スイッチ３４、自動玉貸モード及び手動玉貸モードの何れかを選択するための切換スイッチ３５を備え、内部には端末装置たるカードリーダライタ（第７図に符号３６を付して示す）を備えて成る。
　しかして、第７図に示すように、制御ユニット３０はマイクロコンピュータより成る放出制御手段としての制御回路３８を備え、前記イジェクトスイッチ３２、玉貸スイッチ３４及び切換スイッチ３５は、各オン信号及び切換信号を入力回路３７を介して制御回路３８に与えるようになっており、この制御回路３８には、前記玉切れセンサ２１からの検知信号Ｓｐ及び補助制御回路２９からの放出完了信号Ｓｋも入力回路３７を通じて与えられるようになっている。
　制御回路３８との間でデータの授受を行うように設けられた前記カードリーダライタ３６は、挿入口３１にプリペイドカードが挿入されたときに挿入検知信号を発生して制御回路３８に与えるようになっている。また、制御回路３８は、残高表示部３３及び送信回路３９を、出力回路４０を介して制御すると共に、前記放出指令信号Ｓｊを出力回路４０を通じて出力するようになっている。
　しかして、制御回路３８にあっては、上記のようなオン信号、挿入検知信号、放出完了信号Ｓｋ、プリペイドカードＰＣからの読み出し情報に基づいて、第８図に示すような制御を行う構成となっており、以下その制御内容の概略を説明する。
　即ち、制御回路３８は、まず、カード挿入口３１にプリペイドカードＰＣが挿入されたか否かを判断し、挿入状態となるまで待機する（ステップＢ１）。カード挿入口３１にプリペイドカードＰＣが挿入されたときには、そのプリペイドカードＰＣの挿入状態を保持すると共に、当該プリペイドカードＰＣの記憶情報を読み出してラッチする（ステップＢ２、Ｂ３）。
　次いで、制御回路３８は、上記読み出し情報中のセキュリティコードＣＸを照合して挿入口３１に挿入されたプリペイドカードＰＣが適正なものか否かを判断し（ステップＢ４）、不適正であった場合には、そのプリペイドカードＰＣをカードリーダライタ３６を通じて返却すると共に、前記ラッチ情報を初期化してステップＢ１へ戻る（ステップＢ５、Ｂ６）。また、制御回路３８は、挿入されたプリペイドカードＰＣが適正なものであった場合には、そのプリペイドカードＰＣに１００円単位で記憶されている金額情報Ｍを残高表示部３３に表示する（ステップＢ７）。
　次いで、制御回路３８は、上記表示金額情報Ｍが１００円未満か否かを判断し（ステップＢ８）、１００円未満であった場合（実際には表示金額情報Ｍが零の場合に相当）には、プリペイドカードＰＣを返却する前記ステップＢ５、ラッチ情報を初期化する前記ステップＢ６を実行した後にステップＢ１へ戻る。
　残高表示部３３に１００円以上の金額情報Ｍが記憶されていた場合には、制御回路３８は、玉切れセンサ２１から検知信号Ｓｐが入力されたか否か、つまりパチンコゲーム機１の上皿２内のパチンコ玉が所定個数以下か否かを判断し（ステップＢ９）、検知信号Ｓｐが入力されていないときには、玉貸スイッチ３４がオン操作されたか否かを判断し（ステップＢ１０）、玉貸スイッチ３４がオン操作されていないときには、イジェクトスイッチ３２がオン操作されたか否かを判断し（ステップＢ１１）、イジェクトスイッチ３２がオン操作されていないときにはステップＢ８へ戻る。
　従って、制御回路３８は、上皿２内に所定個数より多いパチンコ玉が収納されている状態で、玉貸スイッチ３４及びイジェクトスイッチ３２が何れもオン操作されない場合には、ステップＢ８〜Ｂ１１を繰り返し実行するループを形成する。
　ここで、遊技者がパチンコゲーム機１において新規に遊技を開始しようとする場合のように上皿２内のパチンコ玉が零の状態時、或はパチンコゲーム機１での遊技により上皿２内のパチンコ玉が所定個数以下に減少した状態時には、玉切れセンサ２１から検知信号Ｓｐが出力される。すると、制御回路３８は、ステップＢ９で「ＹＥＳ」と判断した後に、切換スイッチ３５による選択モードが自動玉貸モードか否かを判断するようになり（ステップＢ１２）、「ＮＯ」の場合（手動玉貸モードが選択されていた場合）にはステップＢ１０へ移行するが、「ＹＥＳ」の場合には、ステップＢ１３へ移行する。
　制御回路３８は、上記ステップＢ１３では、出力回路４０を介して放出指令信号Ｓｊを出力し、これにより放出機構１１を通じて１００円相当個数のパチンコ玉を貸出球として上皿２へ放出させる。この後、制御回路３８は、パチンコゲーム機１’側から放出完了信号Ｓｋがフィードバックされるまで待機し（ステップＢ１４）、その信号Ｓｋがフィードバックされたときには、プリペイドカードＰＣの記憶金額情報Ｍをカードリーダライタ３６を通じて１００円分だけ減額するように書き替え（ステップＢ１５）、これに応じて残高表示部３３の表示を１００円分だけ減少させる（ステップＢ１６）。次いで、制御回路３８は、送信回路３９を通じてパルス状の売上信号Ｐｍを出力し（ステップＢ１７）、この後にステップＢ１１へ移行する。
　上述したようなステップＢ１３以降の制御は、ステップＢ１０で「ＹＥＳ」と判断された場合、つまり玉貸スイッチ３４がオン操作された場合にも行われるものであり、従って、切換スイッチ３５による選択モードの如何に拘らず、玉貸スイッチ３４のオン操作毎に、挿入状態にあるプリペイドカードＰＣに記憶されている金額情報Ｍの範囲内で単位個数ずつのパチンコ玉が上皿２へ放出されることになる。
　イジェクトスイッチ３２がオンされたとき（ステップＢ１１で「ＹＥＳ」）には、制御回路３８は、金額情報Ｍの書き替え中であった場合にその書き替えが済むまで待機し（ステップＢ１８）、上記書き替え動作が行われていない状態では、プリペイドカードＰＣをカードリーダライタ３６を通じて返却すると共に、前記ラッチ情報を初期化し（ステップＢ１９、Ｂ２０）、この後にステップＢ１へ戻る。従って、遊技者は必要に応じてプリペイドカードＰＣの返却を受けることができる。
　以上要するに、本実施例においても、制御ユニット３０の挿入口３１に対して、適正且つ１００円以上の金額情報Ｍが記憶されたプリペイドカードＰＣが挿入された状態では、玉貸スイッチ３４のオン操作に応じて上記金額情報Ｍの範囲内のパチンコ玉が貸出球として上皿２へ放出されるものであり、このようなパチンコ玉の放出は、賞球としてのパチンコ玉を放出するために設けられた放出機構１１を利用して行っているから、前記第１実施例と同様の効果を奏するものである。また、制御ユニット３０は、上述のように適正且つ１００円以上の金額情報Ｍが記憶されたプリペイドカードＰＣが挿入された状態において、切換スイッチ３５により自動玉貸モードが選択されていた場合には、上皿２内のパチンコ玉が所定個数以下となって玉切れセンサ２１から検知信号Ｓｐが出力される毎に、パチンコ玉の放出動作を自動的に行うものであるから、第１実施例と同様に、遊技途中において手持ちパチンコ玉が残り少なくなったときに、その都度パチンコ玉の貸出操作を行うという煩雑さがなくなるものである。
　尚、上記実施例では、自動玉貸モード時において、１００円分のパチンコ玉を上皿２へ自動供給する構成としたが、予め所望に設定した価額のパチンコ玉を自動供給する構成としても良いものであり、この場合には前記第８図中のステップＢ１０に引き続いて、第９図に示すような制御を行う構成とすれば良い。
　即ち、第９図は、上皿２内のパチンコ玉が所定個数以下に減少したときに、遊技者側において任意に設定できるように構成された設定額ΔＭ分ずつのパチンコ玉を上皿２へ自動的に供給する例を示しており、以下これについて説明する。
　制御回路３８は、ステップＢ１０で「ＹＥＳ」と判断した後において、プリペイドカードＰＣに記憶されている金額情報Ｍが設定価額ΔＭ以上か否かを判断し（ステップＢ２１）、設定価額ΔＭ以上であった場合には、内部に設定されたレジスタの記憶値Ｒ（初期値は零）を「１」だけインクリメントし（ステップＢ２２）、この後に出力回路４０を介して放出指令信号Ｓｊを出力することにより、１００相当個数のパチンコ玉を貸出球として上皿２へ放出させる（ステップＢ２３）。
　引き続いて、制御回路３８は、パチンコゲーム機１´側から放出完了信号Ｓｊがフィードバックされるまで待機し（ステップＢ２４）、その信号Ｓｊがフィードバックされたときには、プリペイドカードＰＣの記憶金額情報Ｍを１００円分だけ減額するように書き替え（ステップＢ２５）、これに応じて残高表示部３３の表示を１００円分だけ減少させる共に、送信回路３９を通じてパルス状の売上信号Ｐｍを出力する（ステップＢ２６、Ｂ２７）。
　この後、制御回路３８は、前記レジスタの記憶値Ｒが設定値Δｍ（Δｍ＝ΔＭ／１００）に達したか否かを判断し（ステップＢ２８）、ＲくΔｍの状態ではステップＢ２２〜Ｂ２８の各ステップを再度実行し、Ｒ＝Δｍとなったときにはレジスタを初期化し（ステップＢ２９）、この後にステップＢ８へ戻る。
　一方、プリペイドカードＰＣに記憶されている金額情報Ｍが設定価額ΔＭ未満であった場合（ステップＢ２１で「ＮＯ」）、制御回路３８は、前記ステップＢ２２〜Ｂ２７と同様のステップＢ３０〜Ｂ３５を実行した後に、レジスタの記憶値Ｒが上記金額情報Ｍの１／１００相当値である目標値ｍに達したか否かを判断し（ステップＢ３６）、Ｒ＜ｍの状態ではステップＢ３０〜Ｂ３６の各ステップを再度実行し、Ｒ＝ｍとなったときにはレジスタを初期化する前記ステップＢ２９を実行した後にステップＢ８へ戻る。
　従って、切換スイッチ３５により自動玉貸モードが選択された状態で、上皿２内のパチンコ玉が所定個数以下となって玉切れセンサ２１から検知信号Ｓｐが出力されたときには、挿入口３１に挿入されたプリペイドカードＰＣの記憶金額情報Ｍが設定価額ΔＭ以上ある場合に、その設定価額ΔＭに応じた個数のパチンコ玉が上皿２へ自動的に放出され、上記記憶金額情報Ｍが設定価額ΔＭ未満であった場合に、その記憶金額情報Ｍの全額に相当した個数のパチンコ玉が上皿２へ自動的に放出されるようになる。
　尚、上記した各実施例では、上皿２内のパチンコ玉数が所定個数以下になったことを、その上皿２に設けた検出手段としての玉切れセンサ２１により検出する構成としたが、本発明の第３実施例を示す第１０図のように構成しても良いものであり、以下この第３実施例について前記第１実施例と異なる部分のみ説明する。
　即ち、第１０図において、パチンコホール内に複数台のパチンコゲーム機１″（１第のみ図示）を管理するために設けられた集中管理装置４１が有する演算回路４２は、パチンコゲーム機１″側からの放出玉数信号Ｐａ、アウト玉数信号Ｐｂ、売上信号Ｐｍ、特賞信号Ｓｆを入力回路４３を介して受けるようになっており、それらの入力信号に基づいて、パチンコゲーム機１のアウト玉数、セーフ玉数、差玉数、出玉率、特賞の発生確率などの演算を行って、その演算結果を図示しない記憶部にストアすると共に、上記演算により得られた差玉数が所定の打止設定値に達したときに打止信号Ｓｚを発生する構成となっており、この打止信号Ｓｚは出力回路４４を介してパチンコゲーム機１″へ送信される。
　集中管理装置４１側に設けられた検出手段たる信号処理回路４５は、次のような構成となっている。
　即ち、遊技に伴う打込パチンコ玉数を示すアウト玉数信号Ｐｂを前記入力回路４３を介して受けるアウト玉数カウンタ４６は、リセット端子Ｒを通じて初期化されるようになっており、入力されるアウト玉数信号Ｐｂを順次加算してその加算結果を上記初期化後における打込パチンコ玉数を示す数値信号Ｎ１として出力する。
　放出機構１１による放出パチンコ玉数を示す放出玉数信号Ｐａを入力回路４３を介して受ける補給玉数カウンタ４７は、リセット端子Ｒを通じて初期化されるようになっており、入力される放出玉数信号Ｐａを順次加算してその加算結果を上記初期化後における補給パチンコ玉数（ひいては放出機構１１による放出パチンコ玉の総数）を示す数値信号Ｎ２として出力する。
　減算回路４８は、数値信号Ｎ２から数値信号Ｎ１を減算し、その減算結果を遊技者の手持ちパチンコ玉数、つまり上皿２内のパチンコ玉数を示す数値信号Ｎ３として出力する。
　比較回路４９は、上記数値信号Ｎ３により示される上皿２内のパチンコ玉数が、記憶部５０の記憶数値ｎに対応した所定個数以下となったときに信号発生回路５１を通じて検知信号Ｓｐを出力する構成となっている。この場合、数値信号Ｎ３の演算の基礎となるアウト玉計数信号Ｐｂの出力タイミングは、上皿２内のパチンコ玉が発射された時点より数秒〜十数秒遅れることになるため、このような事情を考慮して上記記憶数値ｎが決定されている。
　従って、このように構成した本実施例によれば、パチンコゲーム機１の上皿２内のパチンコ玉数が所定個数以下に減ったことを示す検知信号Ｓｐを、そのパチンコゲーム機１からの補給玉数信号Ｐａ及びアウト玉数信号Ｐｂに基づいて発生することができるから、パチンコゲーム機１自体に玉切れセンサ２１を設けるという改造を施す必要がなくなって、そのパチンコゲーム機１の構成を簡単化できるようになる。
［発明の効果］
　本発明によれば以上の説明によって明らかなように、パチンコゲーム機が有する放出機構をパチンコ玉の貸出用、並びに賞球としてのパチンコ玉放出用に兼用する構成であるから、パチンコゲーム機及び玉貸機を別途に設ける場合のように多くの設備を必要としなくなるものであり、しかも、切換スイッチにより予め自動玉貸モードを選択しておくだけで玉発射機構用補給皿内のパチンコ玉が残り少なくなったときに、予めセットされた状態の遊技券に記憶された対価情報の範囲内の数のパチンコ玉を当該補給皿に対して自動的に供給することができ、以てパチンコ玉の貸出を受けるための操作を大幅に簡単化できると共に、操作手段を一々操作するという繁雑な操作を不要にできて遊技者側の利便性を向上させ得るようになるという優れた効果を奏するものである。
【図面の簡単な説明】
　第１図乃至第３図は本発明の第１実施例を示すもので、第１図はパチンコゲーム機の概略的な正面図、第２図はパチンコゲーム機の電気的構成を示すブロック図、第３図はパチンコゲーム機の主たる機能を示すフローチャートであり、また、第４図は同第１実施例の変形例を示す第３図相当図である。第５図乃至第９図は本発明の第２実施例を示すもので、第５図は第１図相当図、第６図及び第７図はパチンコゲーム機１における異なる部分の電気的構成を示すブロック図、第８図は第３図相当図であり、また第９図は同第２実施例の変形例を示す第３図相当図である。第１０図は本発明の第３実施例における要部の電気的構成を示すブロック図である。
　図中、１、１´、１″はパチンコゲーム機、２は上皿（玉発射機構用補給皿）、１０は第１の計数器、１１は放出機構、１３は第２の計数器、１４はカードユニット、ＰＣはプリペイドカード、１８、３４は玉貸スイッチ（操作手段）、１９、３５は切換スイッチ、２０、３６はカードリーダライタ（端末装置）、２１は検出手段、２２、３８は制御回路（放出制御手段）、３０は制御ユニット、４５は信号処理回路（検出手段）を示す。